(57)【要約】【課題】ＩＳＤＮ経由の通話及びＩＰ網経由の通話において利用可能なチャネルを有効に利用することが可能なＩＳＤＮアダプタを提供する。【解決手段】ＩＳＤＮアダプタは、回線終端装置とＩＳＤＮとを接続するＩＳＤＮ回線中に直列接続され、更にＩＰ網にも接続され、回線終端装置を経由してＩＳＤＮ回線に接続された少なくとも２台の電話機の各々をＩＳＤＮまたはＩＰ網のいずれかに接続可能であり、任意の電話機が、いずれかのチャネルを用いてＩＳＤＮアダプタまで接続されてＩＳＤＮアダプタからはＩＰ網に接続される通話経路が形成されている場合であって、ＩＳＤＮアダプタから回線終端装置までの経路にて他に現在使用されていないチャネルがある場合、ＩＳＤＮ側から前記任意の電話機がＩＰ網に使用しているチャネルを指定した着信要求を受信すると、前記現在使用されていないチャネルを指定した着信要求に変換して回線終端装置に送信する。【選択図】        図４
2007281675.tif 000002
【特許請求の範囲】
【請求項１】
ＩＳＤＮ加入者の回線終端装置とＩＳＤＮとを接続するＩＳＤＮ回線中に直列接続され、更にＩＰ網にも接続されて、前記回線終端装置を経由して前記ＩＳＤＮ回線に接続された少なくとも２台の電話機の各々を前記ＩＳＤＮまたは前記ＩＰ網のいずれかに接続可能なＩＳＤＮアダプタであって、
前記ＩＳＤＮアダプタは、
前記電話機からの呼出情報に応じて接続先を前記ＩＳＤＮまたは前記ＩＰ網のいずれかに切り換え、前記ＩＳＤＮ側からの着信要求に対しては前記電話機を前記ＩＳＤＮに接続し、前記ＩＰ網側からの着信要求に対しては前記電話機を前記ＩＰ網に接続し、
前記ＩＳＤＮ用に用意された複数のチャネルのいずれかを用いて、当該ＩＳＤＮアダプタと前記電話機までの通話経路を形成し、
前記電話機における任意の電話機が、複数のチャネルのいずれかのチャネルを用いて当該ＩＳＤＮアダプタまで接続されるとともに当該ＩＳＤＮアダプタからはＩＰ網に接続される通話経路が形成されている場合であって、当該ＩＳＤＮアダプタから前記回線終端装置までの経路にて前記任意の電話機がＩＰ網に使用しているチャネルの他に現在使用されていないチャネルがある場合、前記ＩＳＤＮ側から前記任意の電話機がＩＰ網に使用しているチャネルを指定した着信要求を受信すると、前記現在使用されていないチャネルを指定した着信要求に変換して前記回線終端装置に送信する、
ことを特徴とするＩＳＤＮアダプタ。
【請求項２】
請求項１に記載のＩＳＤＮアダプタであって、
前記ＩＳＤＮアダプタは、変換した前記現在使用されていないチャネルを指定した着信要求に対していずれかの電話機とＩＳＤＮとの間で通話経路を形成する場合、当該電話機とＩＳＤＮアダプタまでを前記現在使用されていないチャネルを用いて接続し、ＩＳＤＮアダプタからＩＳＤＮまでを前記任意の電話機がＩＰ網に使用しているチャネルを用いて接続する、
ことを特徴とするＩＳＤＮアダプタ。
【請求項３】
請求項１または２に記載のＩＳＤＮアダプタであって、
前記ＩＳＤＮアダプタは、
前記ＩＳＤＮ側から前記任意の電話機がＩＰ網に使用しているチャネルを指定した着信要求を受信した場合であって、当該ＩＳＤＮアダプタから前記回線終端装置までの経路に現在使用されていないチャネルがない場合、前記ＩＳＤＮ側に着信要求の拒否を示す着信拒否情報を送信する、
ことを特徴とするＩＳＤＮアダプタ。
【発明の詳細な説明】
【技術分野】
【０００１】
本発明は、ＩＳＤＮ回線を用いた既存の電話機にて、ＩＰ網を用いたいわゆるＩＰ電話も可能とするＩＳＤＮアダプタに関する。
【背景技術】
【０００２】
近年では、ＩＰ網にて音声通信を行うＶｏＩＰ（Voice  over  ＩＰ）アダプタを用いて、従来の回線交換型の電話網（ＰＳＴＮ）を経由せずに、パケット交換型のＩＰ網を経由させることで通話料金を削減する、いわゆるＩＰ電話が普及している。
しかし、従来の電話網では通話可能であるが、ＩＰ網では通話を行うことが不可能な電話番号が存在している（例えば電話網の加入端末ではあるが、ＩＰ網の加入端末でない電話機等）。そこで、ＶｏＩＰアダプタは、電話番号に応じて通話経路を電話網あるいはＩＰ網に切り換えている。なお、電話網とＩＰ網では送受信されるデータ形式及びプロトコルが異なるため、ＶｏＩＰアダプタは各々のデータ形式及びプロトコルに変換して音声通信を行う。
また、ＩＳＤＮ（Integrated  Service  Digital  Network）の場合もＰＳＴＮと同様に、ＩＳＤＮを経由せずにＩＰ網を経由させるＩＳＤＮアダプタが普及している。ＩＳＤＮアダプタは、上記のＶｏＩＰアダプタと同様に、電話番号に応じて通話経路をＩＳＤＮあるいはＩＰ網に切り換え、ＩＳＤＮアダプタは、ＩＳＤＮとＩＰ網の各々のデータ形式及びプロトコルに変換して音声通話を行う。
【０００３】
例えば特許文献１に記載した従来技術では、現状のＩＳＤＮ環境を維持したまま、ＶｏＩＰ通話を容易に利用することが可能となる安価なＶｏＩＰ用ＩＳＤＮアダプタと、これを利用して通話を行うＶｏＩＰ通信システムが提案されている。
また、特許文献２に記載した従来技術では、発信側および着信側のそれぞれに１チャネルの空きがあればＩＰ電話を実現することができるＩＰ電話システムが提案されている。
【特許文献１】特開２００４−００７５５０号公報
【特許文献２】特開２００１−３２６７４６号公報
【発明の開示】
【発明が解決しようとする課題】
【０００４】
特許文献１及び特許文献２に記載した従来技術を用いたＩＳＤＮアダプタは、ＩＳＤＮ用に用意されたＢチャネルの数だけ同時に利用可能である。例えば一般的な２Ｂ＋Ｄ（Ｂ１チャネルとＢ２チャネルの２個のＢチャネルと、１個のＤチャネル）のＩＳＤＮの場合、同時に利用可能な通話形態は２個のＢチャネルを用いた、ＩＳＤＮ経由の２通話、またはＩＳＤＮ経由の１通話＋ＩＰ網経由の１通話、またはＩＰ網経由の２通話、が同時に利用可能である。
しかし従来のＩＳＤＮアダプタ１００は、図５（Ａ）に示すように、例えば電話機５０Ａから回線終端装置を備えたターミナルアダプタ４０Ａを介して従来のＩＳＤＮアダプタ１００までをＢ１チャネルを用いて接続し、更にＩＳＤＮアダプタ１００からＩＰ網に接続する通話経路を形成している場合において、図５（Ｂ）に示すようにＩＳＤＮ側（電話局側）からＢ１チャネルを指定した着信要求がＩＳＤＮアダプタ１００に届いた場合、ＩＳＤＮアダプタ１００は、Ｂ１チャネルが使用中であり且つＢ２チャネルが空いているにもかかわらず、当該Ｂ１チャネルを指定した着信要求をターミナルアダプタ４０Ａに送信し、チャネルの衝突が発生する場合があった。
これでは複数あるチャネルを有効に利用することができない。
【０００５】
本発明は、このような点に鑑みて創案されたものであり、ＩＳＤＮ経由の通話及びＩＰ網経由の通話において利用可能なチャネルを有効に利用することが可能なＩＳＤＮアダプタを提供することを課題とする。
【課題を解決するための手段】
【０００６】
上記課題を解決するための手段として、本発明の第１発明は、請求項１に記載されたとおりのＩＳＤＮアダプタである。
請求項１に記載のＩＳＤＮアダプタは、ＩＳＤＮ加入者の回線終端装置とＩＳＤＮとを接続するＩＳＤＮ回線中に直列接続され、更にＩＰ網にも接続されて、前記回線終端装置を経由して前記ＩＳＤＮ回線に接続された少なくとも２台の電話機の各々を前記ＩＳＤＮまたは前記ＩＰ網のいずれかに接続可能なＩＳＤＮアダプタである。
前記ＩＳＤＮアダプタは、前記電話機からの呼出情報に応じて接続先を前記ＩＳＤＮまたは前記ＩＰ網のいずれかに切り換え、前記ＩＳＤＮ側からの着信要求に対しては前記電話機を前記ＩＳＤＮに接続し、前記ＩＰ網側からの着信要求に対しては前記電話機を前記ＩＰ網に接続し、前記ＩＳＤＮ用に用意された複数のチャネルのいずれかを用いて、当該ＩＳＤＮアダプタと前記電話機までの通話経路を形成する。
そしてＩＳＤＮアダプタは、前記電話機における任意の電話機が、複数のチャネルのいずれかのチャネルを用いて当該ＩＳＤＮアダプタまで接続されるとともに当該ＩＳＤＮアダプタからはＩＰ網に接続される通話経路が形成されている場合であって、当該ＩＳＤＮアダプタから前記回線終端装置までの経路にて前記任意の電話機がＩＰ網に使用しているチャネルの他に現在使用されていないチャネルがある場合、前記ＩＳＤＮ側から前記任意の電話機がＩＰ網に使用しているチャネルを指定した着信要求を受信すると、前記現在使用されていないチャネルを指定した着信要求に変換して前記回線終端装置に送信する。
【０００７】
また、本発明の第２発明は、請求項２に記載されたとおりのＩＳＤＮアダプタである。
請求項２に記載のＩＳＤＮアダプタは、請求項１に記載のＩＳＤＮアダプタであって、前記ＩＳＤＮアダプタは、変換した前記現在使用されていないチャネルを指定した着信要求に対していずれかの電話機とＩＳＤＮとの間で通話経路を形成する場合、当該電話機とＩＳＤＮアダプタまでを前記現在使用されていないチャネルを用いて接続し、ＩＳＤＮアダプタからＩＳＤＮまでを前記任意の電話機がＩＰ網に使用しているチャネルを用いて接続する。
【０００８】
また、本発明の第３発明は、請求項３に記載されたとおりのＩＳＤＮアダプタである。
請求項３に記載のＩＳＤＮアダプタは、請求項１または２に記載のＩＳＤＮアダプタであって、前記ＩＳＤＮアダプタは、前記ＩＳＤＮ側から前記任意の電話機がＩＰ網に使用しているチャネルを指定した着信要求を受信した場合であって、当該ＩＳＤＮアダプタから前記回線終端装置までの経路に現在使用されていないチャネルがない場合、前記ＩＳＤＮ側に着信要求の拒否を示す着信拒否情報を送信する。
【発明の効果】
【０００９】
請求項１に記載のＩＳＤＮアダプタを用いれば、あるチャネル（例えばＢ１チャネル）を用いて電話機からＩＳＤＮアダプタまでの通話経路を形成し、更にＩＳＤＮアダプタからＩＰ網に通話経路を形成している場合に、ＩＳＤＮ側から当該チャネル（この場合、Ｂ１チャネル）を指定した着信要求（通常、着信要求はＤチャネルが用いられる）がＩＳＤＮアダプタにて受信されたとき、ＩＳＤＮアダプタから電話機側の使用していない（空いている）チャネルが存在すれば、Ｂ１チャネルが使用中であっても、空いているチャネル（例えばＢ２チャネル）を指定した着信要求に変換して電話機の呼び出しを行う。
このように、利用可能なチャネルを有効に利用することができる。
【００１０】
また、請求項２に記載のＩＳＤＮアダプタによれば、請求項１に記載の着信要求に対して電話機がオフフックされた場合、電話機とＩＳＤＮとの通話経路を、例えば図４（Ｃ）に示すように、利用可能なチャネルを用いて適切に形成することができる。
【００１１】
また、請求項３に記載のＩＳＤＮアダプタによれば、空いているチャネルが実際にない場合は、着信要求を他のチャネルの着信要求に変換することもできないため、着信要求に対して拒否（着信拒否情報）を送信する。
これにより、着信要求を送出した発信元（発信者）では、着信先が利用可能な全チャネルを使用中であることを認識することが可能であり、しばらく後に再度着信要求を行う（電話をかけなおす）等の処置を行わせることができるため、便利である。
【発明を実施するための最良の形態】
【００１２】
以下に本発明を実施するための最良の形態を図面を用いて説明する。図１（Ａ）及び（Ｂ）は、加入者の電話機５０Ａ〜５０ＮからＩＳＤＮ及びＩＰ網までの接続図を示しており、本発明のＩＳＤＮアダプタ１０を含む通信システムの接続図の例を示している。
●［接続図（図１）］
図１（Ａ）は、ＩＳＤＮ加入者の電話機の数が比較的多い場合の接続図の例を示しており、構内交換機３０（ＰＢＸ等）を含む構成である。
図１（Ａ）の接続図の例において、電話機５０Ａ及び５０Ｂはアナログ電話機であり、ターミナルアダプタ４０（以下、ＴＡ４０と記載する）を経由して構内交換機３０に接続されている。ＴＡ４０は既存のアナログ電話機をＩＳＤＮにて使用可能とするインタフェースである。また電話機５０Ｃ〜５０ＮはＩＳＤＮ用のデジタル電話機であり、ＴＡ４０を経由することなく構内交換機３０に接続されている。
構内交換機３０は回線終端装置２０（Digital  Service  Unit：ＤＳＵ）に接続され、回線終端装置２０はＩＳＤＮ回線ＣＤを介してＩＳＤＮアダプタ１０に接続される。そしてＩＳＤＮアダプタ１０は、ＩＳＤＮ回線ＣＳを介してＩＳＤＮに接続されている。従ってＩＳＤＮアダプタ１０は、回線終端装置２０とＩＳＤＮとを接続するＩＳＤＮ回線中に直列接続されている。またＩＳＤＮアダプタ１０は、ＩＰ網にもインターネット回線ＣＰにて接続されている。なお、構内交換機３０は省略してもよい。
【００１３】
図１（Ｂ）の例は、２台のアナログ電話機５０Ａ及び５０Ｂを用いた接続図の例を示している。
アナログ電話機５０Ａ、５０Ｂ（以下、電話機５０Ａ、５０Ｂと記載する）はターミナルアダプタ４０Ａ（以下、ＴＡ４０Ａと記載する）を経由してＩＳＤＮ回線ＣＤに接続されている。なお、図１（Ｂ）は、ＴＡ４０Ａが回線終端装置２０を収容している例を示している。
本発明のＩＳＤＮアダプタ１０は、図１（Ａ）及び（Ｂ）に示すように、通信システム中に接続され、回線終端装置２０を経由してＩＳＤＮ回線ＣＤに接続された少なくとも２台の電話機（５０Ａ〜５０Ｎ）の各々をＩＳＤＮまたはＩＰ網のいずれかに接続可能である。
図１（Ａ）の接続においても図１（Ｂ）の接続においてもＩＳＤＮアダプタ１０の動作は同様であるので、以下では図１（Ｂ）の接続にてＩＳＤＮアダプタ１０について説明する。
【００１４】
●［ＩＳＤＮアダプタ１０の内部構成（図２）］
次に、図２を用いて本発明のＩＳＤＮアダプタ１０の内部構成について説明する。
ＩＳＤＮからのＩＳＤＮ回線ＣＳは回線終端装置１１に接続され、当該回線終端装置１１は切換手段ＳＷＡに接続されている。切換手段ＳＷＡは、回線終端装置１１を、スルー側のＳ／Ｔ点Ｐ１側に接続するか制御手段１３側に接続するか、を切り換えている。なお、切換手段ＳＷＢは切換手段ＳＷＡと連動しており、切換手段ＳＷＡがＳ／Ｔ点Ｐ１側と短絡した場合は切換手段ＳＷＢもＳ／Ｔ点Ｐ１側と短絡する方向に切り換わる。また切換手段ＳＷＡが制御手段１３側と短絡した場合は切換手段ＳＷＢも制御手段１３側と短絡する方向に切り換わる。
ＩＳＤＮアダプタ１０は電源が供給されて正常に動作している場合、切換手段ＳＷＡ、ＳＷＢを制御手段１３側と短絡させ、電源の供給が停止した場合あるいは電源は供給されているが動作が正常でない場合、切換手段ＳＷＡ、ＳＷＢをＳ／Ｔ点Ｐ１側と短絡させる。
なお、Ｓ／Ｔ点Ｐ１、Ｐ２、Ｐ３は、回線終端装置１１から電話機側のＩＳＤＮバスに他の機器を接続する場合の配線取出し点であり（同様にポイントＰ４はインターネット回線ＣＰに他の機器を接続する場合の配線取出し点）、特に説明は省略する。
【００１５】
制御手段１３は例えばＣＰＵであり、電話機５０ＡをＩＳＤＮに接続するように通話経路を形成した場合、電話機５０Ａからの音声データ（ＩＳＤＮ用のプロトコル及びデータ形式であり、以下では音声データ［ＩＳＤＮ］と記載する）をＩＳＤＮ回線ＣＤからＩＳＤＮインタフェース１４を介して受信し、受信した音声データ［ＩＳＤＮ］をＩＳＤＮインタフェース１２、回線終端装置１１及びＩＳＤＮ回線ＣＳを介してＩＳＤＮに向けて送信する。またＩＳＤＮ側からの音声データ［ＩＳＤＮ］をＩＳＤＮ回線ＣＳから回線終端装置１１及びＩＳＤＮインタフェース１２を介して受信し、受信した音声データ［ＩＳＤＮ］をＩＳＤＮインタフェース１４及びＩＳＤＮ回線ＣＤを介して電話機５０Ａに向けて送信する。
この場合、制御手段１３はＩＳＤＮ用のプロトコル及びデータ形式のみを用いて送受信を行う。
【００１６】
また制御手段１３は、電話機５０ＢをＩＰ網に接続するように通話経路を形成した場合、電話機５０Ｂからの音声データ［ＩＳＤＮ］をＩＳＤＮ回線ＣＤからＩＳＤＮインタフェース１４を介して受信し、受信した音声データ［ＩＳＤＮ］をＩＰ網用のプロトコル及びデータ形式に変換して、変換した音声データ（以下、音声データ［ＩＰ］と記載する）をＩＰインタフェース１５及びインターネット回線ＣＰを介してＩＰ網に向けて送信する。またＩＰ網側からの音声データ［ＩＰ］をインターネット回線ＣＰからＩＰインタフェース１５を介して受信し、受信した音声データ［ＩＰ］をＩＳＤＮ用のプロトコル及びデータ形式に変換して、変換した音声データ［ＩＳＤＮ］をＩＳＤＮインタフェース１４及びＩＳＤＮ回線ＣＤを介して電話機５０Ｂに向けて送信する。
この場合、制御手段１３はＩＳＤＮ用のプロトコル及びデータ形式とＩＰ網用のプロトコル及びデータ形式とを用いて交互に変換して送受信を行う。
なお、これらの制御手段１３の動作を行わせるプログラムは、制御手段１３からアクセス可能に設けられた記憶手段１６に記憶されている。
【００１７】
●［通話経路のパターン（図３）］
ＩＳＤＮアダプタ１０は、電話機５０Ａ、５０Ｂからの呼出情報（電話機５０Ａ、５０Ｂから発信する場合のダイアル信号等）に応じて接続先をＩＳＤＮまたはＩＰ網のいずれかに切り換える。例えばＩＳＤＮアダプタ１０は、記憶手段１６にＩＰ網に接続する着信先のダイアル番号とＩＰアドレスが記憶されたＩＰ接続情報が記憶されており、電話機５０Ａ、５０Ｂからの呼出情報に含まれているダイアル番号と、記憶手段１６に記憶しているＩＰ接続情報とを照合する。そして一致するダイアル番号が検出されると、当該ダイアル番号に対応するＩＰアドレスに向けてインターネット回線ＣＰを介してＩＰ網に呼出情報（ＩＰ網用のプロトコル及びデータ形式であり、以下では呼出情報［ＩＰ］と記載する）を送信する。一致するダイアル番号が検出されない場合はＩＳＤＮ回線ＣＳを介してＩＳＤＮに呼出情報（ＩＳＤＮ用のプロトコル及びデータ形式であり、以下では呼出情報［ＩＳＤＮ］と記載する）を送信する。
なお、本実施の形態では、電話機からＩＳＤＮ側に発信する呼出信号を「呼出情報」と記載し、ＩＳＤＮ側（またはＩＰ網側）から電話機に発信する呼出信号を「着信要求信号」と記載している。
【００１８】
また、ＩＳＤＮアダプタ１０は、ＩＳＤＮ側からの着信要求信号（ＩＳＤＮ用のプロトコル及びデータ形式であり、以下では着信要求信号［ＩＳＤＮ］と記載する）を受信すると、当該着信要求信号［ＩＳＤＮ］を、ＩＳＤＮ回線ＣＤを介して回線終端装置２０に送信する。そして電話機５０Ａまたは５０Ｂがオフフックされると当該電話機からＩＳＤＮへの通話経路を形成する。
また、ＩＳＤＮアダプタ１０は、ＩＰ網側からの着信要求信号（ＩＰ網用のプロトコル及びデータ形式であり、以下では着信要求信号［ＩＰ］と記載する）を受信すると、当該着信要求信号［ＩＰ］を着信要求信号［ＩＳＤＮ］に変換して、変換した着信要求信号［ＩＳＤＮ］を、ＩＳＤＮ回線ＣＤを介して回線終端装置２０に送信する。そして電話機５０Ａまたは５０Ｂがオフフックされると当該電話機からＩＰ網への通話経路を形成する。
【００１９】
以上のようにＩＳＤＮアダプタ１０は通話経路を形成し、形成された通話経路のパターンは、図３の例に示すものとなる。図３の例では、電話機５０Ａ及び５０Ｂが一般的な２Ｂ＋Ｄ（Ｂ１チャネルとＢ２チャネルの２個のＢチャネルと、１個のＤチャネル）のＩＳＤＮの場合の例である。
例えばＢ１チャネルとＢ２チャネルのどちらもＩＳＤＮ経由の通話に利用した場合は図３（Ａ）の上図のように通話経路が形成され、Ｂ１チャネルのみをＩＳＤＮ経由の通話に利用した場合は図３（Ａ）の下図のように通話経路が形成される。
また例えばＢ１チャネルとＢ２チャネルのどちらもＩＰ網経由の通話に利用した場合は図３（Ｂ）の上図のように通話経路が形成され、Ｂ１チャネルのみをＩＰ網経由の通話に利用した場合は図３（Ｂ）の下図のように通話経路が形成される。
また例えばＢ１チャネルをＩＳＤＮ経由の通話に利用し、Ｂ２チャネルをＩＰ網経由の通話に利用した場合は図３（Ｃ）のように通話経路が形成される。
この場合、図３（Ａ）〜図３（Ｃ）に示すように、電話機５０Ａ、５０ＢからＩＳＤＮアダプタ１０までの経路は、ＩＳＤＮ用に用意されたＢ１チャネルまたはＢ２チャネルを用いて通話経路が形成される。これは既存の電話機５０Ａ、５０Ｂ、及び既存のＴＡ４０Ａを用いるため、当然である。
なお一般的には、音声データ［ＩＳＤＮ］にはＢチャネルのいずれかが使用され、呼出情報［ＩＳＤＮ］及び着信要求信号［ＩＳＤＮ］にはＤチャネルが使用される。
【００２０】
●［従来のＩＳＤＮアダプタ１００の動作（図５）］
従来のＩＳＤＮアダプタ１００では、図５（Ａ）に示すように、例えば電話機５０Ａから従来のＩＳＤＮアダプタ１００までをＢ１チャネルを用いるとともにＩＳＤＮアダプタ１００からＩＰ網に接続する通話経路を形成している場合において、図５（Ｂ）に示すようにＩＳＤＮ側からＢ１チャネルを指定した着信要求が（ＩＳＤＮ側はＢ１チャネルが使用中であることを認識できないため）ＩＳＤＮアダプタ１００に届いた場合、ＩＳＤＮアダプタ１００は、Ｂ１チャネルが使用中であり且つＴＡ４０Ａ側にてＢ２チャネルが空いているにもかかわらず、当該Ｂ１チャネルを指定した着信要求をＴＡ４０Ａに送信し、チャネルの衝突が発生する場合があった。
【００２１】
●［本発明のＩＳＤＮアダプタ１０の動作（図４）］
本発明のＩＳＤＮアダプタ１０は、図４（Ａ）に示すように、例えば電話機５０ＡからＩＳＤＮアダプタ１０までをＢ１チャネルを用いるとともにＩＳＤＮアダプタ１０からＩＰ網に接続する通話経路を形成している場合において、ＩＳＤＮアダプタ１０から回線終端装置までの経路（この場合、ＴＡ４０Ａまでの経路）にてＢ２チャネルが使用されていない（空き）場合、図４（Ｂ）に示すようにＩＳＤＮ側からＢ１チャネルを指定した着信要求を受信すると、当該Ｂ２チャネルを指定した着信要求に変換してＴＡ４０Ａに送信する。
この場合、ＩＳＤＮアダプタ１０の制御手段１３が、ＩＳＤＮ側からの着信要求信号［ＩＳＤＮ］に含まれている指定チャネルに関する情報を、Ｂ１チャネルからＢ２チャネルに変換し、変換した着信要求信号［ＩＳＤＮ］を回線終端装置（この場合ではＴＡ４０Ａ）に向けて送信する。
【００２２】
そしてＩＳＤＮアダプタ１０の制御手段１３は、図４（Ｂ）において電話機５０Ｂがオフフックされると、図４（Ｃ）に示すように、電話機５０ＢからＩＳＤＮアダプタ１０までをＢ２チャネル（空いていたチャネル）で接続し、ＩＳＤＮアダプタ１０からＩＳＤＮをＢ１チャネル（ＩＳＤＮ側から指定してきたチャネルであって、ＩＰ網に使用しているチャネル）で接続するように通話経路を形成する。なお制御手段１３は、ＩＳＤＮ側に対してＢ１チャネルを使うことを示す信号を適宜送信する。これにより、複数あるチャネルを有効に利用することができる。
なお、ＩＳＤＮ側からＢ１チャネルを指定した着信要求がＩＳＤＮアダプタ１０に届いた場合に、ＩＳＤＮアダプタ１０からＴＡ４０Ａまでの経路でＢ１チャネルもＢ２チャネルも使用中でチャネルに空きがない場合、ＩＳＤＮアダプタ１０は、ＩＳＤＮ側に着信要求の拒否を示す着信拒否情報を送信する。またＩＳＤＮアダプタ１０からＴＡ４０Ａまでの経路で少なくとも１つチャネルに空きができた場合は、ＩＳＤＮ側に着信要求が可能であることを示す着信可能情報を送信する。
また制御手段１３は、例えばＢ１チャネルを用いて電話機５０ＡをＩＰ網に接続する通話経路を形成している場合に、ＩＳＤＮ側に対してＢ１チャネルを発信専用制御とすることを示す発信専用制御信号［Ｂ１］を送信するようにしてもよい。この場合、ＩＳＤＮ側は、Ｂ１チャネルが発信専用であって着信できないことを認識できるので、ＩＳＤＮ側からＢ１チャネルを指定した着信要求が発生しない。もちろん、電話機５０Ａの通話が終了してＢ１チャネルが空いた場合は、発信専用制御状態を解除するために、Ｂ１チャネルで発信も着信も可能となる着発信可能信号［Ｂ１］をＩＳＤＮ側に送信する。
【００２３】
以上の説明では、Ｂ１チャネルとＢ２チャネルの２個のＢチャネルを有するＩＳＤＮの場合（図１（Ｂ）の接続の場合）における説明であるが、Ｂチャネルの数も電話機の数も２つ以上の任意の数である図１（Ａ）の場合では、以下の説明となる。
ＩＳＤＮアダプタ１０は、回線終端装置２０を経由してＩＳＤＮ回線ＣＤに接続された少なくとも２台の電話機の各々をＩＳＤＮまたはＩＰ網のいずれかに接続可能である。
そしてＩＳＤＮアダプタ１０は、ＩＳＤＮ用に用意された複数のチャネルのいずれかを用いて、ＩＳＤＮアダプタ１０から前記電話機までの通話経路を形成する。
更にＩＳＤＮアダプタ１０は、前記電話機における任意の電話機が、前記複数のチャネルのいずれかのチャネルを用いてＩＳＤＮアダプタ１０まで接続されるとともに当該ＩＳＤＮアダプタ１０からはＩＰ網に接続される通話経路が形成されている場合であって、且つＩＳＤＮアダプタ１０から回線終端装置２０までの経路にて前記任意の電話機が使用しているチャネルの他に現在使用していないチャネル（空きチャネル）がある場合、ＩＳＤＮ側から前記任意の電話機が使用しているチャネルを指定した着信要求（着信要求信号［ＩＳＤＮ］）を受信すると、前記現在使用されていないチャネルを指定した着信要求（着信要求信号［ＩＳＤＮ］）に変換して回線終端装置２０に送信する。
【００２４】
本発明のＩＳＤＮアダプタ１０は、本実施の形態で説明した構成、動作等に限定されず、本発明の要旨を変更しない範囲で種々の変更、追加、削除が可能である。
【図面の簡単な説明】
【００２５】
【図１】本発明のＩＳＤＮアダプタ１０を含み、加入者の電話機５０Ａ〜５０ＮからＩＳＤＮ及びＩＰ網までの通信システムの接続図の例を説明する図である。
【図２】ＩＳＤＮアダプタ１０の内部構成の例を説明する図である。
【図３】ＩＳＤＮアダプタ１０が形成する通話経路の例を説明する図である。
【図４】ＩＳＤＮアダプタ１０がＩＳＤＮ側からのＢ１チャネルを指定した着信要求をＢ２チャネルを指定した着信要求に変換して回線終端装置（この場合ＴＡ４０Ａ）に送信する動作を説明する図である。
【図５】従来のＩＳＤＮアダプタ１００の動作を説明する図である。
【符号の説明】
【００２６】
１０      ＩＳＤＮアダプタ
１１      回線終端装置
１２、１４    ＩＳＤＮインタフェース
１３      制御手段
１５      ＩＰインタフェース
１６      記憶手段
２０      回線終端装置（ＤＳＵ）
３０      構内交換機（ＰＢＸ）
４０      ターミナルアダプタ（ＴＡ）
４０Ａ    ターミナルアダプタ（ＴＡ）
５０Ａ〜５０Ｎ    電話機
ＣＳ、ＣＤ    ＩＳＤＮ回線
ＣＰ          インターネット回線
【図１】
2007281675.tif 000003
【図２】
2007281675.tif 000004
【図３】
2007281675.tif 000005
【図４】
2007281675.tif 000006
【図５】
2007281675.tif 000007